(57)【要約】【課題】カバーを開閉するための移動部材が、落下の衝撃により変形して破損することを抑制できる印刷装置を提供する。【解決手段】印刷装置は、第１カバーと第２カバーとを備える。第１カバー及び第２カバーは、箱状の筐体を形成する。さらに、印刷装置は、レバー５０と係合部材７６とリリースカム７５とを備える。レバー５０は、第１位置と第２位置との間を上下方向に移動できる。係合部材７６は、第２カバーに係合するロック位置と第２カバーから脱離するアンロック位置との間を揺動できる。リリースカム７５は、レバー５０と係合部材７６とを互いに接続し、動作を連動させる。リリースカム７５は当接部７５４を備える。当接部７５４は、レバー５０から所定の隙間を空けて配置される。当接部７５４は、外力による第１カバーの変形に応じて、前側からレバー５０に当接できる。【選択図】図９
2018051913.tif 000002
【特許請求の範囲】
【請求項１】
印刷媒体に印刷を行う印刷装置において、
前記印刷媒体を収容する収容部と、
前記収容部を内部に有し、且つ前記収容部を開放する開口部が設けられた第１カバーと、
前記開口部を閉塞する閉塞位置と、前記開口部を開放する開放位置とに移動可能に、前記開口部を覆う第２カバーと、
前記第１カバーに形成された貫通孔から外部に露出する操作部を有し、所定の第１位置と第２位置との間を第１方向に移動可能な移動部材と、
前記第２カバーに係脱可能な部材であって、前記第２カバーに係合し、前記第２カバーを前記閉塞位置に規制するロック位置と、前記第２カバーから脱離し、前記第２カバーを前記閉塞位置と前記開放位置とに移動可能にするアンロック位置との間を移動可能な係合部材と、
前記移動部材と前記係合部材とを互いに接続する接続部材であって、前記移動部材が前記第２位置から前記第１位置に移動した場合に、前記係合部材を前記アンロック位置から前記ロック位置に移動させ、且つ前記移動部材が前記第１位置から前記第２位置に移動した場合に、前記係合部材を前記ロック位置から前記アンロック位置に移動させる接続部材とを備え、
前記接続部材は、前記移動部材から所定の隙間を空けて配置された当接部であって、外力による前記第１カバーの変形に応じて、前記第１方向と交差する第２方向の一方から前記移動部材に当接可能な当接部を備えたことを特徴とする印刷装置。
【請求項２】
前記移動部材が前記第１位置にあり、且つ前記係合部材が前記ロック位置にあるときの位置である第１揺動位置と、前記移動部材が前記第２位置にあり、且つ前記係合部材が前記アンロック位置にあるときの位置である第２揺動位置との間を揺動可能に、前記接続部材を支持する支持部を備え、
前記当接部は、前記第２カバーが前記閉塞位置にあるときに、前記第２方向において前記支持部と前記移動部材との間に配置されることを特徴とする請求項１に記載の印刷装置。
【請求項３】
前記接続部材は、
前記第１揺動位置から前記第２揺動位置に、前記支持部を中心として、第１揺動方向に揺動し、
前記第２揺動位置から前記第１揺動位置に、前記支持部を中心として、前記第１揺動方向とは反対の第２揺動方向に揺動し、
前記当接部のうち前記移動部材に当接する当接面は、前記第２カバーが前記閉塞位置にあるときに、前記当接部における前記第１揺動方向に対して前記第２方向の他方に傾斜する方向に延びることを特徴とする請求項２に記載の印刷装置。
【請求項４】
前記接続部材は、
前記第１揺動位置から前記第２揺動位置に、前記支持部を中心として、第１揺動方向に揺動し、
前記第２揺動位置から前記第１揺動位置に、前記支持部を中心として、前記第１揺動方向とは反対の第２揺動方向に揺動し、
前記当接部は、前記第２カバーが前記閉塞位置にあるときに、前記第２方向において前記支持部と前記移動部材との間、且つ前記支持部から前記第２方向の他方に延びる仮想直線に対して前記第１揺動方向側に配置されたことを特徴とする請求項２に記載の印刷装置。
【請求項５】
前記操作部の前記第２方向の他方側の端部には、前記操作部が突出する方向に対して前記第２方向の一方に傾斜する方向に延びる傾斜面が設けられることを特徴とする請求項１から４の何れかに記載の印刷装置。
【発明の詳細な説明】
【技術分野】
【０００１】
本発明は、印刷装置に関する。
【背景技術】
【０００２】
携帯可能な印刷装置がある。例えば特許文献１は、ベルトクリップを備えた印刷装置を開示する。ユーザは、ベルトクリップを腰ベルトに装着することで、印刷装置を携帯して使用する。特許文献１に記載の印刷装置は、例えば特許文献２に記載の印刷装置の構成を有すると考えられる。特許文献２に記載の印刷装置は、筐体と後カバーとレバーとを備える。後カバーは筐体に対して開閉可能に支持される。後カバーが筐体に対して閉状態のときにユーザがレバーを操作すると、後カバーは筐体に対して開状態となる。
【先行技術文献】
【特許文献】
【０００３】
【特許文献１】特開２０１５−１６０４２７号公報
【特許文献２】特開２０１５−２０８９２０号公報
【発明の概要】
【発明が解決しようとする課題】
【０００４】
ベルトグリップの着脱時、ユーザは、誤って印刷装置を落としてしまう場合がある。この場合、印刷装置が落下する高さによっては、印刷装置の落下の衝撃により、筐体が変形し、レバーに荷重が作用する可能性がある。レバーに荷重が作用すると、レバーが変形して破損するおそれがある。
【０００５】
本発明の目的は、カバーを開閉するための移動部材が、落下の衝撃により変形して破損することを抑制できる印刷装置を提供することである。
【課題を解決するための手段】
【０００６】
本発明に係る印刷装置は、印刷媒体に印刷を行う印刷装置において、前記印刷媒体を収容する収容部と、前記収容部を内部に有し、且つ前記収容部を開放する開口部が設けられた第１カバーと、前記開口部を閉塞する閉塞位置と、前記開口部を開放する開放位置とに移動可能に、前記開口部を覆う第２カバーと、前記第１カバーに形成された貫通孔から外部に露出する操作部を有し、所定の第１位置と第２位置との間を第１方向に移動可能な移動部材と、前記第２カバーに係脱可能な部材であって、前記第２カバーに係合し、前記第２カバーを前記閉塞位置に規制するロック位置と、前記第２カバーから脱離し、前記第２カバーを前記閉塞位置と前記開放位置とに移動可能にするアンロック位置との間を移動可能な係合部材と、前記移動部材と前記係合部材とを互いに接続する接続部材であって、前記移動部材が前記第２位置から前記第１位置に移動した場合に、前記係合部材を前記アンロック位置から前記ロック位置に移動させ、且つ前記移動部材が前記第１位置から前記第２位置に移動した場合に、前記係合部材を前記ロック位置から前記アンロック位置に移動させる接続部材とを備え、前記接続部材は、前記移動部材から所定の隙間を空けて配置された当接部であって、外力による前記第１カバーの変形に応じて、前記第１方向と交差する第２方向の一方から前記移動部材に当接可能な当接部を備えたことを特徴とする。
【０００７】
例えば印刷装置の落下の衝撃により、第１カバーが変形する場合がある。この場合、第１カバーの貫通孔が操作部に当接することで、第２方向の一方への荷重が移動部材に作用して、移動部材が変形する。移動部材の変形の程度によっては、移動部材が破損するおそれがある。上記印刷装置によれば、第２方向の一方への荷重が移動部材に作用した場合、移動部材は第２方向の一方へ変形する。移動部材が所定の隙間分変形すると、当接部が第２方向の一方から移動部材に当接するので、移動部材のそれ以上の変形は抑制される。また、移動部材が当接部に当接すると、第２方向の一方への荷重を接続部材も受けることになるので、移動部材に作用する荷重が軽減される。これより、移動部材の変形は低減される。よって、印刷装置は、第２カバーを開閉するための移動部材が、落下の衝撃により変形して破損することを抑制できる。
【０００８】
本発明に係る印刷装置は、前記移動部材が前記第１位置にあり、且つ前記係合部材が前記ロック位置にあるときの位置である第１揺動位置と、前記移動部材が前記第２位置にあり、且つ前記係合部材が前記アンロック位置にあるときの位置である第２揺動位置との間を揺動可能に、前記接続部材を支持する支持部を備え、前記当接部は、前記第２カバーが前記閉塞位置にあるときに、前記第２方向において前記支持部と前記移動部材との間に配置されてもよい。この場合、当接部は、第２カバーが閉塞位置にあるときに、第２方向において支持部と移動部材との間に配置される。このため、第２カバーが閉塞位置にある状態で、外力により第１カバーの貫通孔が変形し、第２方向の一方への荷重が移動部材に作用した場合、移動部材は、変形して当接部に当接する。当接部は、第２方向において支持部と移動部材との間に配置されているので、当接部に作用する第２方向の一方への荷重は接続部材を介して支持部が確実に受けることができる。よって、印刷装置は、落下の衝撃により移動部材が変形して破損することを確実に抑制できる。
【０００９】
本発明に係る印刷装置において、前記接続部材は、前記第１揺動位置から前記第２揺動位置に、前記支持部を中心として、第１揺動方向に揺動し、前記第２揺動位置から前記第１揺動位置に、前記支持部を中心として、前記第１揺動方向とは反対の第２揺動方向に揺動し、前記当接部のうち前記移動部材に当接する当接面は、前記第２カバーが前記閉塞位置にあるときに、前記当接部における前記第１揺動方向に対して前記第２方向の他方に傾斜する方向に延びてもよい。この場合、当接面は、第２カバーが閉塞位置にあるときに、当接部における第１揺動方向に対して第２方向の他方に傾斜する方向に延びる。このため、第２カバーが閉塞位置にあるときに当接面が第２方向の一方から移動部材に当接すると、当接部には第１揺動方向への力が作用する。これより、接続部材は第１揺動位置から第２揺動位置に揺動する。接続部材が第２揺動位置まで揺動すると、係合部材がアンロック位置に移動し、第２カバーが閉塞位置から開放位置に移動可能な状態になるので、第２カバーに作用する荷重が軽減される。よって、印刷装置は、落下の衝撃により第２カバーが破損することを抑制できる。
【００１０】
本発明に係る印刷装置において、前記接続部材は、前記第１揺動位置から前記第２揺動位置に、前記支持部を中心として、第１揺動方向に揺動し、前記第２揺動位置から前記第１揺動位置に、前記支持部を中心として、前記第１揺動方向とは反対の第２揺動方向に揺動し、前記当接部は、前記第２カバーが前記閉塞位置にあるときに、前記第２方向において前記支持部と前記移動部材との間、且つ前記支持部から前記第２方向の他方に延びる仮想直線に対して前記第１揺動方向側に配置されてもよい。この場合、当接部は、第２カバーが閉塞位置にあるときに、第２方向において支持部と移動部材との間、且つ支持部から第２方向の他方に延びる仮想直線上に対して第１揺動方向側に配置されている。このため、第２カバーが閉塞位置にあるときに当接面が第２方向の一方から移動部材に当接すると、当接部には第１揺動方向への力が作用する。これより、接続部材は第１揺動位置から第２揺動位置に揺動する。接続部材が第２揺動位置まで揺動すると、係合部材がアンロック位置に移動し、第２カバーが閉塞位置から開放位置に移動可能な状態になるので、第２カバーに作用する荷重が軽減される。よって、印刷装置は、落下の衝撃により第２カバーが破損することを抑制できる。
【００１１】
本発明に係る印刷装置において、前記操作部の前記第２方向の他方側の端部には、前記操作部が突出する方向に対して前記第２方向の一方に傾斜する方向に延びる傾斜面が設けられてもよい。この場合、操作部の第２方向の他方側の端部には、操作部が突出する方向に対して第２方向の一方に傾斜する方向に延びる傾斜面が設けられている。このため、第１カバーが第２方向の一方に変形した場合に、第１カバーの貫通孔が操作部の傾斜面に当接して、第１カバーは傾斜面に沿った方向に変形する。これより、操作部に作用する第２方向の一方への荷重が軽減される。よって、印刷装置は、落下の衝撃により移動部材が変形して破損することを抑制できる。
【図面の簡単な説明】
【００１２】
【図１】第２カバー３が閉塞位置にあるときの印刷装置１の斜視図である。
【図２】第２カバー３が開放位置にあるときの印刷装置１（第１カバー２の一部を除く）の斜視図である。
【図３】第２カバー３が閉塞位置にあるときの印刷装置１（第２カバー３を除く）の斜視図である。
【図４】メインシャーシ７（リリースカム７５及びレバー５０を除く）の斜視図である。
【図５】係合部材７６の斜視図である。
【図６】図１のＡ−Ａ線近傍を矢印方向から見た断面図である。
【図７】メインシャーシ７の斜視図である。
【図８】リリースカム７５の斜視図である。
【図９】レバー５０を第１位置に移動したときのメインシャーシ７を右側から見た側面図である。
【図１０】レバー５０を第２位置に移動したときのメインシャーシ７を右側から見た側面図である。
【図１１】第１カバー２が変形した場合において、図１のＡ−Ａ線近傍を矢印方向から見た断面図である。
【図１２】レバー５０が変形したときのメインシャーシ７を右側から見た側面図である。
【図１３】当接部７５４の変形例である当接部８５４を説明する図である。
【図１４】当接部７５４の変形例である当接部９５４を説明する図である。
【発明を実施するための形態】
【００１３】
＜印刷装置１＞
以下、本発明の実施形態について、図面を参照して説明する。印刷装置１は、印刷媒体（感熱紙）に印刷を行うことが可能な感熱式の装置である。印刷装置１は、電池駆動が可能である。例えば印刷装置１は、非図示のベルトクリップを介してベルトに装着されることによって、作業中の使用者に携帯されて使用される。印刷装置１は、ＵＳＢ（登録商標）ケーブルを介して非図示の外部端末に接続可能である。印刷装置１は、外部端末から受信した印刷データに基づいて、印刷媒体に文字、図形等のキャラクタを印刷できる。外部端末は汎用のパーソナルコンピュータ（ＰＣ）である。図１の右下側、左上側、右上側、左下側、上側、及び下側を、それぞれ、印刷装置１の右側、左側、後側、前側、上側、及び下側と定義する。
【００１４】
図１に示すように、印刷装置１は、樹脂製の筐体１０を備える。筐体１０は、前後方向に長い略直方体の箱状である。筐体１０は、第１カバー２及び第２カバー３によって構成される。
【００１５】
＜第１カバー２＞
図１から図３に示すように、第１カバー２は、筐体１０の前壁部２２、右壁部２３、左壁部２４、後壁部２５、下壁部、及び筐体１０の上壁部うち前後方向略中央から前側の上壁部２１によって箱状に構成される。
【００１６】
図２に示すように、第１カバー２の内部空間のうち、上壁部２１（図１参照）に対して下側の部分を、「第１収容部２０Ａ」という。第１収容部２０Ａは、第１カバー２の内部空間のうち、前後方向略中央から前端部に亘って形成される。第１収容部２０Ａには、モータ７２、非図示の基板等が収容される。第１カバー２の内部空間のうち、第１収容部２０Ａに対して後側の部分を、「第２収容部２０Ｂ」という。第２収容部２０Ｂは、第１カバー２の内部空間のうち、前後方向略中央から後端部に亘って形成される。
【００１７】
図３に示すように、第２収容部２０Ｂには、ロールホルダ４が収容されて固定される。ロールホルダ４は、印刷媒体が巻回されたロール４０（図２参照）を、左右方向の両側から回転可能に保持する。
【００１８】
上壁部２１の後端部（以下、「端部２１Ａ」という。）、右壁部２３の上端部のうち上壁部２１よりも後側の部分（以下、「端部２３Ａ」という。）、左壁部２４の上端部のうち上壁部２１よりも後側の部分（以下、「端部２４Ａ」という。）、及び後壁部２５の上端部（以下、「端部２５Ａ」という。）によって囲まれる部分は、矩形状の開口部２Ｃを形成する。開口部２Ｃは、第１カバー２の前後方向略中央から後端部までの上側の部分に形成される。開口部２Ｃは、第２収容部２０Ｂを開放する。
【００１９】
右壁部２３の前後方向の略中央部には、貫通孔２３４が設けられる。貫通孔２３４は、上下方向に長い矩形状であり、右壁部２３を左右方向に貫通する。後壁部２５には、一対の支持部２５１が設けられる。一方側の支持部２５１は、端部２５Ａの右端部近傍から上側に突出する。他方側の支持部２５１は、端部２５Ａの左端部近傍から上側に突出する。各支持部２５１は、左右方向に延びる軸部２５２を支持する。各軸部２５２は、対応する支持部２５１から内側に延びる。各軸部２５２にはばね２５３が装着される。
【００２０】
＜第２カバー３＞
図１、図２に示すように、第２カバー３は、開口部２Ｃを上側から覆う位置（以下、「閉塞位置」という。図１参照）と覆わない位置（以下、「開放位置」という。図２参照）との間で開閉可能である。閉塞位置では、第２カバー３は開口部２Ｃを閉塞する（図１参照）。開放位置では、第２カバー３は開口部２Ｃを上側に開放する（図２参照）。以下の説明では、第２カバー３が閉塞位置にあることを前提とし、印刷装置１の各方向を第２カバー３に適用して説明する。時計回り方向及び反時計回り方向は、特段限定のない限り、右側から見た方向を示すものとする。
【００２１】
図２に示すように、第２カバー３は、蓋板部３１、及び側板部３３，３４を有する。蓋板部３１は、一部が湾曲した板状である。蓋板部３１は、一対の突出部３１１を後端部に有する。一対の突出部３１１は、第１カバー２の一対の軸部２５２（図３参照）がそれぞれ挿通される孔を含む。側板部３３は、蓋板部３１の右端部に接続し、湾曲しながら下側に延びる。側板部３４は、蓋板部３１の左端部に接続し、湾曲しながら下側に延びる。
【００２２】
蓋板部３１の前端部には、一対の支持部６８，６９が設けられる。支持部６８は、蓋板部３１の前端部の右端部近傍から下側に突出する。支持部６９は、蓋板部３１の前端部の左端部近傍から下側に突出する。一対の支持部６８，６９は、プラテンローラ６０を左右方向に延びる回転軸を中心として、回転可能に支持する。詳細には、支持部６８は、プラテンローラ６０の右端部を回転可能に支持する。支持部６９は、プラテンローラ６０の左端部を回転可能に支持する。プラテンローラ６０の左端部には、ギア６５が固定される。ギア６５は、プラテンローラ６０の左端部が支持部６９に支持される部位よりも左側に配置される。
【００２３】
第２カバー３は、軸部２５２を中心として、第１カバー２に回転可能に支持される。ばね２５３は、閉塞位置（図１参照）から開放位置（図２参照）に向けて第２カバー３を付勢する。ばね２５３の付勢力に逆らって第２カバー３が反時計回り方向に回転した場合、第２カバー３は閉塞位置に移動する。
【００２４】
図１に示すように、第２カバー３が閉塞位置にある場合、上壁部２１の端部２１Ａと蓋板部３１の前端部とは近接する。それぞれの間に排出口２０が形成される。印刷装置１の内部で印刷された印刷媒体は、排出口２０を介して外部に排出される。一方、ばね２５３の付勢力によって第２カバー３が時計回り方向に回転した場合、第２カバー３は開放位置（図２参照）に移動する。
【００２５】
＜メインシャーシ７＞
図２に示すように、メインシャーシ７は、第１収容部２０Ａと第２収容部２０Ｂとの境界部近傍に収容される。メインシャーシ７は、第１カバー２に固定される。メインシャーシ７は、モータ７２、サーマルヘッド７４Ａ（図３参照）、係合部材７６、レバー５０、リリースカム７５等を保持する（図７参照）。メインシャーシ７は、支持部７１Ａ〜７１Ｄを有する（図４参照）。
【００２６】
支持部７１Ａは、第１収容部２０Ａの後端部近傍に収容される。支持部７１Ａの後側に、第２収容部２０Ｂが配置される。支持部７１Ａは、排出口２０（図１参照）の下側に配置される。支持部７１Ａは第１カバー２に保持される。
【００２７】
支持部７１Ａは前後方向と直交する。支持部７１Ａの後面にサーマルヘッド７４Ａ（図３参照）が設けられる。サーマルヘッド７４Ａは、印刷媒体を加熱することによってキャラクタ等を印刷する。サーマルヘッド７４Ａは、左右方向に延びる。
【００２８】
支持部７１Ａの上端部に、切断部７３が設けられる。切断部７３は、印刷媒体のうちサーマルヘッド７４Ａによって印刷された部分を切り離すことが可能な刃である。切断部７３は、サーマルヘッド７４Ａの上側において左右方向に延びる。
【００２９】
図４に示すように、支持部７１Ｂは、支持部７１Ａの左端部近傍から前側に延びる。支持部７１Ｂは、左右方向と直交する平板状の部材である。支持部７１Ｂの右面に、モータ７２が固定される。モータ７２の回転軸は左側に延び、支持部７１Ｂから左側に突出する。モータ７２の回転軸の左端部は、非図示の連結ギアに噛合する。第２カバー３が閉塞位置にある場合（図１参照）、連結ギアはギア６５（図２参照）に噛合する。モータ７２が回転した場合、連結ギアは回転する。第２カバー３が閉塞位置にある場合、連結ギアの回転に応じてギア６５も回転する。
【００３０】
支持部７１Ｃは、支持部７１Ａの右端部近傍から後側に延びる。支持部７１Ｄは、支持部７１Ａの左端部近傍から後側に延びる。支持部７１Ｃ、７１Ｄは、それぞれ、左右方向と直交する平板状の部材を主な構成とする。以下、支持部７１Ｃのうち、支持部７１Ａの右端部から後側に延びる部分を、「板状部７０３」という。支持部７１Ｄのうち、支持部７１Ａの左端部から後側に延びる部分を、「板状部７０４」という。
【００３１】
板状部７０３の上端部に、下側に凹んだ凹部７０３Ａが設けられる。板状部７０４の上端部に、凹部７０３Ａと同形状の非図示の凹部が設けられる。板状部７０３の前端部近傍に、左右両側に延びる円柱状の支持軸７０３Ｂが設けられる。支持軸７０３Ｂは板状部７０３に設けられた非図示の貫通孔を左右方向に貫通する。板状部７０３は、支持軸７０３Ｂを回転可能に保持する。板状部７０４の前端部近傍に、支持軸７０３Ｂと同形状の非図示の支持軸が設けられる。非図示の支持軸は板状部７０４に設けられた非図示の貫通孔を左右方向に貫通する。板状部７０４は、非図示の支持軸を回転可能に保持する。支持軸７０３Ｂの中心線と非図示の支持軸の中心線とは、それぞれ、左右方向に延び、一致する。板状部７０３の後端部には、左右方向に貫通する貫通孔７０３Ｃが形成される。貫通孔７０３Ｃは、支持軸７０３Ｂを中心とした円弧状に、略上下方向に延びる。
【００３２】
板状部７０３の右面の後端部にはレバー支持部７０５が設けられる。レバー支持部７０５は、右側から見て上下方向に長い略矩形状である。レバー支持部７０５の前端部には、後側に凹む凹部７０５Ａが形成される。凹部７０５Ａによって、貫通孔７０３Ｃは右側に露出する。凹部７０５Ａの上壁には、上側に凹む上支持凹部７０５Ｂが形成される。凹部７０５Ａの下壁には、下側に凹む下支持凹部７０５Ｃが形成される。上支持凹部７０５Ｂと下支持凹部７０５Ｃとは、互いに平行に延びる。
【００３３】
＜係合部材７６＞
図５に示すように、係合部材７６は、板状部７０３，７０４（図４参照）で左右方向から挟まれた部分に配置される。係合部材７６は、第２カバー３（図１参照）に係脱可能である。係合部材７６は、係合部７７，７８及び連結部７９を有する。係合部７７，７８は、左右方向に直交する平板状である。係合部７７は、板状部７０３の左側に配置される。係合部７８は、板状部７０４の右側に配置される。
【００３４】
係合部７７は、基部７７Ａ、延設部７７Ｂ、及び突出部７７Ｃを有する。基部７７Ａは、貫通孔７７１〜７７３を有する。貫通孔７７１は、基部７７Ａの前端且つ下端の近傍に形成される。貫通孔７７２は、貫通孔７７１の後上側に形成される。貫通孔７７３は、貫通孔７７２の後側に形成される。延設部７７Ｂは、基部７７Ａの上端部のうち前後方向中央よりも後側から、上側に向けて延びる。突出部７７Ｃは、延設部７７Ｂの上端部に設けられ、前側に延びる。突出部７７Ｃの上端部は、前方に対して下方に傾斜する。
【００３５】
係合部７８は、係合部７７と略同一形状を有する。係合部７８の基部７８Ａ、延設部７８Ｂ、及び突出部７８Ｃは、それぞれ、係合部７７の基部７７Ａ、延設部７７Ｂ、及び突出部７７Ｃに対応する。係合部７８は、基部７８Ａの形状が係合部７７と相違する。基部７８Ａの後端部は、延設部７８Ｂの後端部に対して前側に凹む。基部７８Ａは、係合部７７の貫通孔７７１に対応する貫通孔７８１のみを有する。
【００３６】
連結部７９は、係合部７７，７８のそれぞれの下端部の間に亘って延び、係合部７７，７８を互いに連結する。連結部７９は、左右方向に細長い板状である。連結部７９は、支持部７１Ａ（図４参照）の後側に配置される。
【００３７】
図６に示すように、係合部７７の貫通孔７７１（図５参照）に、板状部７０３に保持された支持軸７０３Ｂの左端部が挿通する。係合部７７は、板状部７０３に保持された支持軸７０３Ｂによって揺動可能に支持される。係合部７８の貫通孔７８１（図５参照）に、板状部７０４に保持された支持軸の右端部が挿通する。係合部７８は、板状部７０４に保持された支持軸によって揺動可能に支持される。
【００３８】
＜レバー５０＞
図７に示すように、レバー５０は、レバー支持部７０５の右側に配置される。レバー５０は、基部５１、支持板部５２、及び操作部５３を有する。基部５１及び支持板部５２は、レバー支持部７０５と右壁部２３（図６参照）との間に配置される。基部５１は、右側から見て上下方向に長い略矩形状の板状である。基部５１の左面には、左側に延びる係合凹部５１Ａが設けられる（図６参照）。基部５１の前端部は、やや左側に突出する。
【００３９】
支持板部５２は、基部５１の前端部から前側に延出する。すなわち、支持板部５２は、基部５１よりも左側に配置される。支持板部５２は、右側から見て上下方向に長い略矩形状である。支持板部５２の上端部には、上側及び左側に突出する上支持凸部５２Ａが形成される。支持板部５２の下端部には、下側及び左側に突出する下支持凸部５２Ｂが形成される。上支持凸部５２Ａは、レバー支持部７０５の上支持凹部７０５Ｂに嵌合する。下支持凸部５２Ｂは、レバー支持部７０５の下支持凹部７０５Ｃに嵌合する。これより、レバー５０は、上下動可能に支持される。
【００４０】
図６、図７に示すように、操作部５３は、基部５１の右面の上下方向中央部から右側に突出する。操作部５３は、前後方向に長い略直方体状である。操作部５３の後端部は面取りされる。すなわち、操作部５３の後端部には、右方に対して前方に傾斜する方向に延びる傾斜面５３Ａが設けられる。操作部５３は、貫通孔２３４を介して印刷装置１の内側から外側に露出する（図１、図６参照）。ユーザは、操作部５３を操作して、レバー５０を上下動させることができる。
【００４１】
＜リリースカム７５＞
リリースカム７５は、板状部７０３の右側において、レバー５０の前側に配置される。図８に示すように、リリースカム７５は、基部７５１、第１腕部７５２、第２腕部７５３、及び当接部７５４によって構成される。基部７５１は、左右方向に長さを有する。基部７５１は、円筒部７５１Ａ、扇部７５１Ｂ、及び腕支持部７５１Ｃを有する。円筒部７５１Ａは、貫通孔７５１Ｄを備える。貫通孔７５１Ｄは、左右方向に延び、支持軸７０３Ｂの外径と略等しい内径を有する。貫通孔７５１Ｄには、支持軸７０３Ｂ（図４参照）の右端部が回転可能に挿通する。これより、支持軸７０３Ｂは、リリースカム７５を揺動可能に支持する（図９、図１０参照）。
【００４２】
扇部７５１Ｂは、円筒部７５１Ａの右端部から後上側に扇状に延びる。腕支持部７５１Ｃは、扇部７５１Ｂの円筒部７５１Ａとは反対側の端部から左側に延びる。腕支持部７５１Ｃは、湾曲した板状である。腕支持部７５１Ｃの左右方向の長さは、円筒部７５１Ａの左右方向の長さと等しい。円筒部７５１Ａの外周面と腕支持部７５１Ｃとの間には空間が形成される。円筒部７５１Ａの外周面には、リリースカム７５を反時計回り方向に付勢するばね７１２が装着される（図７参照）。
【００４３】
第１腕部７５２は、腕支持部７５１Ｃの左端部の前部から上前側に延びる。第１腕部７５２の右面には、左側に凹む凹部７５２Ａが形成される。第２腕部７５３は、腕支持部７５１Ｃの左端部及び第１腕部７５２の後面の左端部から後側に板状に延びる。第２腕部７５３の後部は、板状部７０３とレバー５０との間に配置される（図６参照）。
【００４４】
第２腕部７５３の後端部には、第１突出部７５３Ａ及び第２突出部７５３Ｂが設けられる。第１突出部７５３Ａ及び第２突出部７５３Ｂは、それぞれ円柱状である。第１突出部７５３Ａは、第２腕部７５３の右面から右側に突出する。第１突出部７５３Ａの外径は、レバー５０の係合凹部５１Ａ（図６参照）に係合可能な寸法である。第２突出部７５３Ｂは、第２腕部７５３の左面から左側に突出する。第２突出部７５３Ｂの外径は、係合部７７の貫通孔７７３（図５参照）の内径と略等しい。また、第２突出部７５３Ｂの外径は、貫通孔７０３Ｃの幅（前後方向の長さ）よりも小さい。よって、第２突出部７５３Ｂは、貫通孔７０３Ｃが延びる上下方向に移動可能である。第２突出部７５３Ｂの中心線は第１突出部７５３Ａの中心線と一致する。
【００４５】
図６に示すように、第１突出部７５３Ａは、レバー５０の係合凹部５１Ａに左側から係合する。第１突出部７５３Ａは、係合凹部５１Ａと係合した状態において、上下方向には移動不能で且つ前後方向には移動可能である。第２突出部７５３Ｂは、板状部７０３の貫通孔７０３Ｃを介して係合部７７の貫通孔７７３に右側から挿通する。第２突出部７５３Ｂの左端部は、貫通孔７７３と係合する。これより、リリースカム７５は、レバー５０と係合部材７６とを互いに接続する。
【００４６】
図８、図９に示すように、当接部７５４は、第２腕部７５３の右面の前下角部に設けられる。また、当接部７５４は、レバー５０の支持板部５２の前端部から前側に所定の隙間を空けて配置される。この隙間の寸法は、例えば約０．３ｍｍである。但し、この数値に限定するものではない。当接部７５４は、前後方向において、支持軸７０３Ｂとレバー５０の支持板部５２の前端との間に配置される。当接部７５４は、略直方体状である。当接部７５４の左右方向の長さは、腕支持部７５１Ｃの左右方向の長さの略半分である。当接部７５４の右面の左右方向における位置は、支持板部５２の右面の左右方向における位置と略一致する。当接部７５４の前端部は、腕支持部７５１Ｃの下端部に接続する。当接部７５４の後面（以下、「当接面７５４Ａ」という。）は、前後方向に略直交する。詳しくは後述するが、当接部７５４は、外力による第１カバー２の変形に応じて、当接面７５４Ａが前側からレバー５０に当接できる（図１１、図１２参照）。
【００４７】
＜レバー５０の動作＞
図９、図１０に示すように、ユーザは、操作部５３を操作して、レバー５０を上下動させる。レバー５０は、上支持凹部７０５Ｂ及び下支持凹部７０５Ｃに沿って、第１位置（図９参照）と第２位置（図１０参照）との間を上下動する。レバー５０が第１位置にあるときは、上支持凸部５２Ａ及び下支持凸部５２Ｂがそれぞれ上支持凹部７０５Ｂの上端及び下支持凹部７０５Ｃの上端の位置にある（図９参照）。レバー５０が第２位置にあるときは、上支持凸部５２Ａ及び下支持凸部５２Ｂがそれぞれ上支持凹部７０５Ｂの下端及び下支持凹部７０５Ｃの下端の位置にある（図１０参照）。
【００４８】
＜係合部材７６の動作＞
係合部材７６は、ロック位置（図９参照）とアンロック位置（図１０参照）との間を、支持軸７０３Ｂを中心として揺動できる。係合部材７６がロック位置にあるときは、係合部７７の突出部７７Ｃが板状部７０３の凹部７０３Ａの上側に位置し（図９参照）、且つ係合部７８の突出部７８Ｃが板状部７０４の凹部の上側に位置する（図示略）。係合部材７６がアンロック位置にあるときは、係合部７７の突出部７７Ｃが板状部７０３の凹部７０３Ａの後側に位置し（図１０参照）、且つ係合部７８の突出部７８Ｃが板状部７０４の凹部の後側に位置する（図示略）。係合部材７６は、時計回り方向に揺動した場合、ロック位置からアンロック位置に揺動する。係合部材７６は、反時計回り方向に揺動した場合、アンロック位置からロック位置に揺動する。
【００４９】
＜リリースカム７５の動作＞
リリースカム７５は、第１揺動位置（図９参照）と第２揺動位置（図１０参照）との間を、支持軸７０３Ｂを中心として揺動できる。リリースカム７５が第１揺動位置と第２揺動位置との間を揺動することに伴って、第２突出部７５３Ｂ（図８参照）が板状部７０３の貫通孔７０３Ｃ（図４参照）内を揺動する。リリースカム７５が第１揺動位置にあるときは、第２突出部７５３Ｂが板状部７０３の貫通孔７０３Ｃの上端に位置し、第１腕部７５２の上端部が板状部７０３の凹部７０３Ａの前下側に位置する（図９参照）。リリースカム７５が第２揺動位置にあるときは、第２突出部７５３Ｂが板状部７０３の貫通孔７０３Ｃの下端に位置し、第１腕部７５２の上端部が板状部７０３の凹部７０３Ａの右側に位置する（図１０参照）。リリースカム７５は、時計回り方向に揺動した場合、第１揺動位置から第２揺動位置に揺動する。リリースカム７５は、反時計回り方向に揺動した場合、第２揺動位置から第１揺動位置に揺動する。
【００５０】
＜レバー５０、係合部材７６、及びリリースカム７５の動作の連動＞
リリースカム７５は、レバー５０の動作を係合部材７６の動作と連動させる。すなわち、レバー５０が第２位置（図１０参照）から第１位置（図９参照）に移動した場合、リリースカム７５は、第２揺動位置（図１０参照）から第１揺動位置（図９参照）に揺動することで、係合部材７６をアンロック位置（図１０参照）からロック位置（図９参照）に揺動させる。レバー５０が第１位置から第２位置に移動した場合、リリースカム７５は、第１揺動位置から第２揺動位置に揺動することで、係合部材７６をロック位置からアンロック位置に揺動させる。
【００５１】
詳細には、レバー５０が上下動した場合、係合凹部５１Ａに挿通された第１突出部７５３Ａ（図７参照）を介して、支持軸７０３Ｂを中心としてリリースカム７５が揺動する。リリースカム７５の揺動に応じ、板状部７０３の貫通孔７０３Ｃ内を第２突出部７５３Ｂが揺動する。係合部７７の貫通孔７７３は第２突出部７５３Ｂと係合しているので、第２突出部７５３Ｂの揺動に応じて支持軸７０３Ｂを中心として係合部７７が揺動する。係合部７７の揺動に応じ、連結部７９（図６参照）を介して係合部７８も、同じ方向に揺動する。このように、レバー５０の上下動は、リリースカム７５を介して係合部材７６に伝達され、係合部材７６を揺動させる。
【００５２】
ばね７１２は、リリースカム７５を反時計回り方向に付勢すると共に、リリースカム７５を介して、レバー５０を上側に付勢し、且つ係合部材７６を反時計回り方向に付勢する。レバー５０に下向きの力が作用しない場合、レバー５０は、ばね７１２の付勢力に応じて第１位置に規制される。リリースカム７５は、反時計回り方向への付勢力に応じて第１揺動位置に規制される。係合部材７６は、ばね７１２の反時計回り方向への付勢力に応じてロック位置に規制される。
【００５３】
レバー５０に下向きの力が作用した場合、レバー５０は第１位置から第２位置に移動する。リリースカム７５は、ばね７１２の反時計回り方向への付勢力に反して、第１揺動位置から第２揺動位置に時計回り方向に揺動する。係合部材７６は、ばね７１２の反時計回り方向への付勢力に反して、ロック位置からアンロック位置に時計回り方向に揺動する。
【００５４】
＜第２カバー３の開放動作＞
第２カバー３が閉塞位置に配置された場合を説明する。この場合、レバー５０は第１位置に配置される。リリースカム７５は第１揺動位置に配置される。係合部材７６はロック位置に配置される。図３に示すように、プラテンローラ６０の右端部は、支持部７１Ｃの凹部７０３Ａ（図４参照）に上側から係合する。係合部７７の突出部７７Ｃは、プラテンローラ６０の右端部に上側から係合する。プラテンローラ６０の左端部は、支持部７１Ｄの凹部に上側から係合する。係合部７８の突出部７８Ｃは、プラテンローラ６０の左端部に上側から係合する。これらにより、プラテンローラ６０は、上側への移動が規制される。すなわち、ロック位置に配置された係合部材７６は、第２カバー３に設けられたプラテンローラ６０に係合するので、ばね２５３の付勢力によって第２カバー３が開放位置に向けて時計回り方向に回転することを規制し、第２カバー３を閉塞位置に規制する。
【００５５】
プラテンローラ６０は、サーマルヘッド７４Ａの後側に近接する。プラテンローラ６０は、サーマルヘッド７４Ａとの間に印刷媒体が配置された場合、サーマルヘッド７４Ａに向けて印刷媒体を前側に押し付けることが可能となる。ギア６５は、非図示の連結ギアに噛合する。モータ７２（図２参照）の回転に応じて連結ギアが回転した場合、ギア６５及びプラテンローラ６０は連動して回転する。この場合、プラテンローラ６０は、サーマルヘッド７４Ａに印刷媒体を押し付けながら、排出口２０（図１参照）に向けて印刷媒体を搬送することが可能となる。
【００５６】
図９、図１０に示すように、第２カバー３を開放位置（図２参照）から閉塞位置（図１参照）に移動させる場合、ユーザは、操作部５３を下側に移動させる。これより、レバー５０が第１位置（図１０参照）から第２位置（図９参照）に移動する。レバー５０の移動により、リリースカム７５が第１揺動位置（図１０参照）から第２揺動位置（図９参照）に揺動する。リリースカム７５の揺動により、係合部材７６がロック位置（図１０参照）からアンロック位置（図９参照）に揺動する。
【００５７】
図１０に示すように、係合部材７６がアンロック位置に配置された場合、突出部７７Ｃが、板状部７０３の凹部７０３Ａの後側に配置され、且つ突出部７８Ｃ（図６参照）が、板状部７０４（図５参照）の凹部の後側に配置される。これらにより、係合部材７６が第２カバー３から脱離するので、プラテンローラ６０（図３参照）の上側への移動は、係合部材７６によって規制されない状態になる。すなわち、係合部材７６がアンロック位置に配置された場合、第２カバー３は、閉塞位置と開放位置とに移動可能となる。リリースカム７５が第１揺動位置から第２揺動位置に揺動した場合、第１腕部７５２がプラテンローラ６０の右端部に下側から当接する。すなわち、第２カバー３に上向きの力が作用する。第２カバー３は、第１腕部７５２による上向きの力に加え、ばね２５３の付勢力によって時計回り方向に回転する。第２カバー３は、閉塞位置（図１参照）から開放位置（図２参照）に移動する。
【００５８】
＜本実施形態の主たる作用、効果＞
例えば、ユーザが誤って印刷装置１を落としてしまう場合がある。この場合、落下の高さ（すなわち、印刷装置１への衝撃の大きさ）によっては第１カバー２が変形するおそれがある。以下では、図１１に示すように、第１カバー２の右壁部２３が変形し、貫通孔２３４の前端部が操作部５３の右面よりも右側に移動した場合を例示する。但し、図１１に示す第１カバー２の右壁部２３の変形は、説明の都合上、極端に大きく誇張して示しており、実際の変形の程度とは異なる。右壁部２３が変形すると、貫通孔２３４の後端部が操作部５３の傾斜面５３Ａに後側から当接する場合がある。この場合、図１２に示すように、レバー５０は、前方向への荷重を受けて、上支持凸部５２Ａ及び下支持凸部５２Ｂを支点として上下方向の略中央部が前側に湾曲するように変形する。レバー５０が所定の隙間分変形すると、支持板部５２の前端部の上下方向の略中央部が、当接部７５４の当接面７５４Ａに後側から当接する。すなわち、当接部７５４の当接面７５４Ａが支持板部５２の前端部に前側から当接するので、レバー５０のそれ以上の変形は抑制される。また、レバー５０が当接部７５４の当接面７５４Ａに当接すると、前方向への荷重を当接部７５４が設けられているリリースカム７５も受けることになるので、レバー５０に作用する荷重が軽減される。これより、レバー５０の変形が低減される。よって、印刷装置１は、第２カバー３を開閉するためのレバー５０が、落下の衝撃により変形して破損することを抑制できる。
【００５９】
当接部７５４は、第２カバー３が閉塞位置にあるときに、前後方向において支持軸７０３Ｂとレバー５０との間に配置される。このため、第２カバー３が閉塞位置にある状態で、外力により第１カバー２の貫通孔２３４が変形し、前方向への荷重がレバー５０に作用した場合、レバー５０は、変形して当接部７５４に当接する。当接部７５４は、前後方向において支持軸７０３Ｂとレバー５０との間に配置されているので、当接部７５４に作用する前方向への荷重はリリースカム７５を介して支持軸７０３Ｂが確実に受けることができる。よって、印刷装置１は、第２カバー３を開閉するためのレバー５０が、落下の衝撃により変形して破損することを確実に抑制できる。
【００６０】
レバー５０が当接部７５４に後側から当接すると、当接部７５４が設けられているリリースカム７５が第１揺動位置から時計回り方向に揺動する。この場合、リリースカム７５の第１腕部７５２が支持部７１Ａの後面に当接する。第１腕部７５２が支持部７１Ａの後面に当接したときの衝撃の大きさによっては、その反動で、ばね７１２の付勢力に反して、リリースカム７５が第２揺動位置まで時計回り方向に揺動する。これより、係合部材７６がアンロック位置に移動する。すなわち、第２カバー３が閉塞位置から開放位置に移動可能な状態になるので、第２カバー３に作用する荷重が軽減される。よって、印刷装置１は、落下の衝撃により第２カバー３が破損することを抑制できる。係合部材７６がアンロック位置に移動すると、ばね２５３の付勢力によって第２カバー３が開放位置に移動するので、第２カバー３に作用する荷重がさらに軽減される。よって、印刷装置１は、落下の衝撃により第２カバーが破損することをさらに抑制できる。
【００６１】
図１１に示すように、操作部５３の後端部には、右方に対して前方に傾斜する方向に延びる傾斜面５３Ａが設けられている。このため、貫通孔２３４の後端部が操作部５３の傾斜面５３Ａに後側から当接した場合に、操作部５３に作用する前方向への荷重が軽減される。よって、貫通孔２３４が変形してもレバー５０の前側への変形が低減される。よって、印刷装置１は、落下の衝撃によりレバー５０が変形して破損することを抑制できる。
【００６２】
＜本実施形態と本発明との対応＞
本実施形態において、第２収容部２０Ｂが、本発明の「収容部」に相当する。開口部２Ｃが、本発明の「開口部」に相当する。第１カバー２が、本発明の「第１カバー」に相当する。第２カバー３が、本発明の「第２カバー」に相当する。貫通孔２３４が、本発明の「貫通孔」に相当する。操作部５３が、本発明の「操作部」に相当する。印刷装置１の上下方向が、本発明の「第１方向」に相当する。レバー５０が、本発明の「移動部材」に相当する。係合部材７６が、本発明の「係合部材」に相当する。リリースカム７５が、本発明の「接続部材」に相当する。印刷装置１の前後方向が、本発明の「第２方向」に相当する。印刷装置１の前側が、本発明の「第２方向の一方」に相当する。当接部７５４が、本発明の「当接部」に相当する。支持軸７０３Ｂが、本発明の「支持部」に相当する。印刷装置１の後側が、本発明の「第２方向の他方側」に相当する。印刷装置１の右側が、本発明の「操作部が突出する方向」に相当する。傾斜面５３Ａが、本発明の「傾斜面」に相当する。
【００６３】
＜第１変形例＞
当接面７５４Ａの延びる方向は、上記実施形態に限定されない。例えば、図１３に示すように、リリースカム７５は、当接部７５４に代えて当接部８５４を有してもよい。上記実施形態と同一機能を有する部材には同じ符号を付して説明を省略する。リリースカム７５は、第１揺動位置から第２揺動位置に、支持軸７０３Ｂを中心として、時計回り方向（以下、「第１揺動方向」という。）に揺動する。リリースカム７５は、第２揺動位置から第１揺動位置に、支持軸７０３Ｂを中心として、反時計回り方向（以下、「第２揺動方向」という。）に揺動する。
【００６４】
当接部８５４は、第２腕部７５３の右面の前下角部に設けられる。また、当接部８５４は、レバー５０の支持板部５２の前端部から前側に所定の隙間を空けて配置される。この隙間の寸法は、例えば約０．３ｍｍである。但し、この数値に限定するものではない。当接部８５４は、前後方向において、支持軸７０３Ｂとレバー５０の支持板部５２の前端との間に配置される。当接部８５４は、略直方体状である。当接部８５４の左右方向の長さは、腕支持部７５１Ｃの左右方向の長さの略半分である。当接部７５４の右面の左右方向における位置は、支持板部５２の右面の左右方向における位置と略一致する。当接部８５４の前端部は、腕支持部７５１Ｃの下端部に接続する。当接部８５４の後面（以下、「当接面８５４Ａ」という。）は、第２カバー３が閉塞位置にあるときに、当接部８５４における第１揺動方向（すなわち、下方）に対して後方に傾斜する方向に延びる。当接部８５４は、当接部７５４と同様に、外力による第１カバー２の変形に応じて、当接面８５４Ａが前側からレバー５０に当接できる。
【００６５】
この場合、第２カバー３が閉塞位置にあるときに当接面８５４Ａが前側からレバー５０に当接すると、当接面８５４Ａは、レバー５０に面で当接するように第１揺動方向に揺動する。すなわち、当接部８５４には、第１揺動方向への力が作用する。これより、当接部８５４が設けられているリリースカム７５は、第１揺動位置から第２揺動位置に揺動する。リリースカム７５が第２揺動位置まで揺動すると、係合部材７６がアンロック位置に移動する。すなわち、第２カバー３が閉塞位置から開放位置に移動可能な状態になるので、第２カバー３に作用する荷重が軽減される。よって、印刷装置１は、落下の衝撃により第２カバー３が破損することを抑制できる。係合部材７６がアンロック位置に移動すると、ばね２５３の付勢力によって第２カバー３が開放位置に移動するので、第２カバー３に作用する荷重がさらに軽減される。よって、印刷装置１は、落下の衝撃により第２カバー３が破損することをさらに抑制できる。
【００６６】
＜第２変形例＞
当接部７５４が配置される位置は、上記実施形態に限定されない。例えば、図１４に示すように、リリースカム７５は、当接部７５４に代えて当接部９５４を有してもよい。上記実施形態と同一機能を有する部材には同じ符号を付して説明を省略する。
【００６７】
リリースカム７５には、突出部９５３が設けられる。突出部９５３は、腕支持部７５１Ｃの下端部から下側に突出する。突出部９５３は、支持軸７０３Ｂの中心点Ｐから後側に延びる仮想直線Ｋよりも下側まで突出する。中心点Ｐは、支持軸７０３Ｂの軸線上の点である。
【００６８】
当接部９５４は、突出部９５３の後面の下端部から後側に突出する。すなわち、当接部９５４は、第２カバー３が閉塞位置にあるときに、仮想直線Ｋに対して第１揺動方向側（すなわち、下方）に設けられる。また、当接部９５４は、レバー５０の支持板部５２の前端部から前側に所定の隙間を空けて配置される。この隙間の寸法は、例えば約０．３ｍｍである。但し、この数値に限定するものではない。当接部９５４は、前後方向において、支持軸７０３Ｂと支持板部５２の前端との間に配置される。当接部９５４は、略直方体状である。当接部９５４の左右方向の長さは、腕支持部７５１Ｃの左右方向の長さの略半分である。当接部７５４の右面の左右方向における位置は、支持板部５２の右面の左右方向における位置と略一致する。当接部９５４の後面（以下、「当接面９５４Ａ」という。）は、前後方向に略直交する。当接部９５４は、当接部７５４と同様に、外力による第１カバー２の変形に応じて、当接面９５４Ａが前側からレバー５０に当接できる。
【００６９】
この場合、第２カバー３が閉塞位置にあるときに当接面９５４Ａが前側からレバー５０に当接すると、当接部９５４には第１揺動方向への力が作用する。これより、当接部８５４が設けられているリリースカム７５は、第１揺動位置から第２揺動位置に揺動する。リリースカム７５が第２揺動位置まで揺動すると、係合部材７６がアンロック位置に移動し、第２カバー３が閉塞位置から開放位置に移動可能な状態になるので、第２カバー３に作用する荷重が軽減される。よって、印刷装置１は、落下の衝撃により第２カバー３が破損することを抑制できる。係合部材７６がアンロック位置に移動すると、ばね２５３の付勢力によって第２カバー３が開放位置に移動するので、第２カバー３に作用する荷重がさらに軽減される。よって、印刷装置１は、落下の衝撃により第２カバー３が破損することをさらに抑制できる。
【００７０】
＜その他の変形例＞
本発明は上記実施形態に限定されず、種々の変更が可能である。例えば上記実施形態において、印刷装置１の印刷方式は感熱方式であるが、これに限定されず、他の方式（例えば、熱転写式、インクジェット方式等）であってもよい。印刷媒体は、ロール４０として巻回されていなくてもよい。上側から見た開口部２Ｃの形状は、略矩形状に限定されず、他の任意の形状であってもよい。例えば、開口部２Ｃを形成する端部２１Ａ，２３Ａ，３４Ａ，２５Ａの少なくとも何れかは湾曲してもよい。
【００７１】
レバー５０の操作部５３は傾斜面５３Ａを有し、上側から見て略台形形状であったが、操作部５３の形状は、上記実施形態に限定されない。操作部５３の形状は、上側から見て略半円状又はそれより小さい略円弧状でもよく、また、上側から見て基部５１と一辺を共有し、右前側に頂点を有する略三角形状でもよい。
【００７２】
上記実施形態では、支持軸７０３Ｂは、板状部７０３によって回転可能に保持され、円筒部７５１Ａに回転可能に挿通する。これに対し、支持軸７０３Ｂは、板状部７０３及び円筒部７５１Ａの何れか一方に固定されてもよい。また、支持軸７０３Ｂは、板状部７０Ｂ及び円筒部７５１Ａの何れか一方と一体的に形成されてもよい。
【００７３】
レバー５０の移動方向、係合部材７６の揺動方向、及びリリースカム７５の揺動方向は、上記実施形態に限定されない。例えばリリースカム７５は、時計回り方向に揺動すると、第２揺動位置から第１揺動位置に揺動するように構成されてもよい。
【００７４】
上記実施形態では、係合部材７６がアンロック位置に配置された場合、第２カバー３は、ばね２５３の付勢力によって自動で閉塞位置から開放位置に移動する。印刷装置１は、ばね２５３を備えず、ユーザによって手動で第２カバー３が閉塞位置と開放位置とに移動する構成を採用してもよい。
【００７５】
上記実施形態では、係合部材７６は、プラテンローラ６０に係合する。これに対し、印刷装置１は、例えば蓋板部３１の前端部から下方に突出する係合部を備えてもよい。係合部材７６は、ロック位置において、蓋板部３１に設けられた係合部に係合することで、第２カバー３を閉塞位置に規制してもよい。
【符号の説明】
【００７６】
１    印刷装置
２    第１カバー
２Ｃ    開口部
３    第２カバー
２０Ｂ    第２収容部
５０    レバー
５３    操作部
５３Ａ    傾斜面
７５    リリースカム
７６    係合部材
２３４    貫通孔
７０３Ｂ    支持軸
７５４，８５４，９５４    当接部
７５４Ａ，８５４Ａ，９５４Ａ    当接面
Ｋ    仮想直線
Ｐ    中心点
【図１】
2018051913.tif 000003
【図２】
2018051913.tif 000004
【図３】
2018051913.tif 000005
【図４】
2018051913.tif 000006
【図５】
2018051913.tif 000007
【図６】
2018051913.tif 000008
【図７】
2018051913.tif 000009
【図８】
2018051913.tif 000010
【図９】
2018051913.tif 000011
【図１０】
2018051913.tif 000012
【図１１】
2018051913.tif 000013
【図１２】
2018051913.tif 000014
【図１３】
2018051913.tif 000015
【図１４】
2018051913.tif 000016